(57)【要約】      （修正有）【課題】鍋本体と蓋体とを離脱しないように係合できるとともに、必要なときに鍋本体と蓋体とを係合できる調理鍋を提供する。【解決手段】底面と側面を有する鍋本体１と、蓋体２と、を備えた調理鍋であって、鍋本体には、側面を下にして載置面に置いたときに、安定して載置させるためのリブ１２が形成され、蓋体が鍋本体から脱落しないように、鍋本体と蓋体を挟持する着脱自在のつかみ部材３を有することを特徴とする。【選択図】図５
0003234286.tif 000002
【実用新案登録請求の範囲】
【請求項１】
底面と側面を有する鍋本体と、蓋体と、を備えた調理鍋であって、
鍋本体には、側面を下にして載置面に置いたときに、安定して載置させるための当接部が形成され、
蓋体が鍋本体から脱落しないように、鍋本体と蓋体を挟持する着脱自在のつかみ部材を有することを特徴とする調理鍋。
【請求項２】
前記つかみ部材は、鍋本体に形成されたフランジと、蓋体の表面又は裏面とを挟持するように構成されることを特徴とする請求項１に記載の調理鍋。
【請求項３】
前記つかみ部材は、蓋体の平面視において、蓋体の中心に対して対称的に２つ設けられることを特徴とする請求項１又は２に記載の調理鍋。
【請求項４】
鍋本体及び蓋体は平面視で四辺形を呈しており、前記つかみ部材は、四辺形の対角線上に配置されることを特徴とする請求項３に記載の調理鍋。
【請求項５】
前記蓋体の裏面には、前記つかみ部材に形成された係合部と係合する被結合部が形成されており、蓋体を裏返した状態で、前記係合部と被結合部が係合することで、前記つかみ部材により、鍋本体と蓋体とを挟持可能であることを特徴とする請求項１〜４のいずれか１項に記載の調理鍋。
【請求項６】
前記蓋体に形成される被結合部は、全周にわたって形成される係合凸部であり、前記つかみ部材に形成される係合部は、前記係合凸部に係合する係合溝であることを特徴とする請求項５に記載の調理鍋。
【請求項７】
前記蓋体には、水切り用の逃げ部が形成されていることを特徴とする請求項１〜６のいずれか１項に記載の調理鍋。
【請求項８】
前記逃げ部は複数形成されており、それぞれ形状を異ならせていることを特徴とする請求項７に記載の調理鍋。
【考案の詳細な説明】
【技術分野】
【０００１】
本考案は、底面と側面を有する鍋本体と、蓋体と、を備えた調理鍋に関する。
【背景技術】
【０００２】
かかる調理鍋として、下記特許文献１に開示される加熱調理鍋がある。この調理鍋は、鍋本体の側面に脚部（リブ）が一体形成されており、調理鍋を側面が下になるように自立させることができる。自立させることで、使用しないときに立てた状態で収納できるなどの利便性が向上する。また、この文献では、蓋体を鍋本体の上部開口縁に係止できるように係止部が設けられている。具体的には、蓋体の周縁部に断面フック形の掛止部が形成されており、蓋体を裏返した状態で蓋体を鍋本体に係止させることができるようになっている。
【先行技術文献】
【特許文献】
【０００３】
【特許文献１】特許第３８７２０７０号
【考案の概要】
【考案が解決しようとする課題】
【０００４】
しかしながら、上記係止部は、蓋体を裏返して鍋本体に係止させるときにのみ機能するものであり、蓋体を通常の状態で蓋をする場合には、鍋本体と蓋体を係止させる機能はなく、不要なものになる。
【０００５】
本考案は上記実情に鑑みてなされたものであり、その課題は、鍋本体と蓋体とを離脱しないように係合できるとともに、必要なときに鍋本体と蓋体とを係合できる調理鍋を提供することである。
【課題を解決するための手段】
【０００６】
上記課題を解決するため本考案に係る調理鍋は、
底面と側面を有する鍋本体と、蓋体と、を備えた調理鍋であって、
鍋本体には、側面を下にして載置面に置いたときに、安定して載置させるための当接部が形成され、
蓋体が鍋本体から脱落しないように、鍋本体と蓋体を挟持する着脱自在のつかみ部材を有することを特徴とするものである。
【０００７】
かかる構成を有する調理鍋の作用・効果を説明する。この調理鍋は、鍋本体と蓋体とを有し、鍋本体と蓋体を挟持する着脱自在のつかみ部材を有している。着脱自在であるから、必要なときに、つかみ部材を使用すればよく、調理している最中などにはつかみ部材を外しておけばよい。また、鍋本体は側面を下にして立てておくことができるので、使用しないときなどは、鍋本体と蓋体をつかみ部材で係合して立てた状態で収納でき、利便性が高まる。また、このつかみ部材は、調理鍋を運ぶ時など鍋本体が加温されている状態に使用すれば、安全な状態で調理鍋を移動させるという機能も発揮する。その結果、鍋本体と蓋体とを離脱しないように係合できるともに、必要なときに係合機能を発揮できる調理鍋を提供することができる。
【０００８】
本考案に係る前記つかみ部材は、鍋本体に形成されたフランジと、蓋体の表面又は裏面とを挟持するように構成されることが好ましい。
【０００９】
かかる構成により、蓋体の表面を上にしても裏面を上にしても、鍋本体と係合させることができる。
【００１０】
本考案に係る前記つかみ部材は、蓋体の平面視において、蓋体の中心に対して対称的に２つ設けられることが好ましい。
【００１１】
これにより、２つのつかみ部材を手で持って調理鍋を運びやすくなる。
【００１２】
本考案において、鍋本体及び蓋体は平面視で四辺形を呈しており、前記つかみ部材は、四辺形の対角線上に配置されることが好ましい。
【００１３】
これにより、２つのつかみ部材を手で持って調理鍋を運びやすくなる。また、鍋本体及び蓋体は平面視で四辺形にすることで、調理鍋を自立させやすくなる。
【００１４】
本考案において、前記蓋体の裏面には、前記つかみ部材に形成された係合部と係合する被結合部が形成されており、蓋体を裏返した状態で、前記係合部と被結合部が係合することで、前記つかみ部材により、鍋本体と蓋体とを挟持可能であることが好ましい。
【００１５】
かかる係合部と被結合部により鍋本体と蓋体をつかみ部材により確実に係合させることができる。また、調理鍋を立てた状態でも蓋体が外れないように安定した状態で収納させることができる。
【００１６】
本考案において、前記蓋体に形成される被結合部は、全周にわたって形成される係合凸部であり、前記つかみ部材に形成される係合部は、前記係合凸部に係合する係合溝であることが好ましい。
【００１７】
かかる構成により、鍋本体と蓋体が互いに離脱しないように強固に係合させることができる。
【００１８】
本考案に係る前記蓋体には、水切り用の逃げ部が形成されていることが好ましい。
【００１９】
かかる構成により、蓋体をしたまま調理鍋を傾けて水切り（湯切り）をすることができる。
【００２０】
本考案に係る前記逃げ部は複数形成されており、それぞれ形状を異ならせていることが好ましい。
【００２１】
かかる構成により、調理される料理の具材に応じて、適切な逃げ部を選択して水切りをすることができる。
【図面の簡単な説明】
【００２２】
【図１Ａ】調理鍋の外観斜視図
【図１Ｂ】蓋体を裏返した状態の調理鍋の外観斜視図
【図２Ａ】調理鍋の平面図
【図２Ｂ】蓋体を裏返した状態の調理鍋の平面図
【図３】調理鍋の側面図
【図４】調理鍋を自立させた状態を示す側面図
【図５】調理鍋の分解斜視図
【図６】図２ＡのＡ−Ａ断面図
【図７】図２ＢのＢ−Ｂ
【図８】図２Ｂにおいてつかみ部材を装着していない状態を示す図
【図９】蓋体を裏返してつかみ部材で挟持した状態の中央断面図
【図１０】つかみ部材の側面図
【図１１】つかみ部材を上方から見た斜視図
【図１２】つかみ部材を下方から見た斜視図
【図１３】蓋体を自立した状態を示す外観斜視図
【考案を実施するための形態】
【００２３】
本考案に係る調理鍋の好適な実施形態を図面を用いて説明する。図１Ａは、調理鍋の外観斜視図を示し、図１Ｂは、蓋体を裏返した状態の外観斜視図である。図２Ａは、調理鍋の平面図を示し、図２Ｂは、蓋体を裏返した状態の平面図である。図３は、調理鍋の側面図である。図４は、調理鍋を自立させた状態を示す側面図である。図５は、調理鍋の分解斜視図である。図６は図２ＡのＡ−Ａ断面図である。図７は、図２ＢのＢ−Ｂ断面図である。
【００２４】
調理鍋としての基本的な構成要素は、鍋本体１と蓋体２である。この調理鍋は、一般的な鍋料理の他、パスタ、うどん、煮物など鍋で調理する料理の全般に対して使用されるものである。鍋本体１は、底面１０と側面１１を有し、その内部に具材を投入する収容部が設けられる。鍋本体１は、好ましくは、アルミダイカストにより製作される。蓋体２は、必要に応じて、鍋本体１の上に蓋をするものである。鍋本体１と蓋体２は、平面視で正方形状である。従って、側面１１は底面１０を取り囲むように４カ所形成される。なお完全な正方形ではなく、四隅は円弧状に形成されている。
【００２５】
鍋本体１から蓋体２が脱落しないようにつかみ部材３が設けられている。つかみ部材３は、着脱自在であり、必要なときにのみ使用される。図１、図２では、つかみ部材３を使用した状態を示している。本考案においては、蓋体２を通常状態（第１状態）と裏返した第２状態で鍋本体１に置くことができ、いずれの場合においても、つかみ部材３を用いて、鍋本体１と蓋体２を挟持（係合）することができる。
【００２６】
蓋体２は、ガラス製の蓋本体２０と、この蓋本体２０を取り囲むように設けられたシリコン製の枠体２１により構成されている。蓋本体２０は平面視で正方形であり、四隅は円弧状に形成されている。枠体２１もこれに対応して正方形状に形成されている。
【００２７】
図４に示すように、本考案の調理鍋は載置面Ｘ（平面に形成された適宜の場所）に立てて載置できるようになっている。鍋本体１の４カ所の側面のうち、向かい合う２カ所の側面１１にリブ１２（当接部に相当）が形成されている。載置面Ｘには、リブ１２の底面１０に近い側と、フランジ１３（当接部に相当）が当接している。リブ１２は、１つの側面１に２カ所、合計４カ所に形成されている。ただし、リブの個数や形状等は、特定の形態に限定されるものではない。調理鍋を自立させることができるので、調理鍋を使用しないときに安定した状態で収納できるようになる。
【００２８】
蓋体２の中央部には取っ手４が取り付けられている。取っ手４は軸部４０と延出部４１が一体形成されている。図５、図６に示すように、取っ手４は、蓋本体２０の表面２０ａに配置されるリング部材５と、蓋本体２０の裏面２０ｂに配置されるブッシュ６を介して、裏面側からネジ７により、蓋体２に結合される。これに対応して、蓋体２の中央には取り付け用の穴が形成される。なお、蓋体２の表面２０ａは球面状に突出した形状を呈しており、その頂点に取っ手４が取り付けられる。図６に示すように、枠体２１の表面も表面２０ａの球面につながるような３次元曲面となっている。
【００２９】
図９は、蓋体２を裏返した状態で鍋本体１に載置した状態を示す。取っ手４が付いたまま裏返したとしても、鍋本体１の内部は、取っ手４を収容できるだけの大きさとなっている。従って、調理鍋を収容するときは、取っ手４が表面側に出ない形で収容でき、収容スペースを有効活用することができる。また、鍋本体１には取っ手に相当するものはなく、出っ張った部分がないので収容するときなど邪魔にならない。
【００３０】
図５に示すように、鍋本体１には、フランジ１３が形成されており、その内側に、段差が形成されて蓋体載置部１４が設けられている。蓋体載置部１４は、フランジ３の上面よりも低い位置に形成されている。この蓋体載置部１４に蓋体２を置くことができる。蓋体２は第１状態でも第２状態でも、この蓋体載置部１４の上に安定した状態で載置させることができる。実際には、蓋体２の枠体２１が当接する。枠体２１の係合凸部２２が蓋体載置部１４の上に載置され、密着した形で蓋体２が載置される。つかみ部材３は、第１状態ではフランジ１３と蓋体２の表面２０ａを挟持し、第２状態ではフランジ１３と裏面２０ｂを挟持する。
【００３１】
図１Ｂ、図８に示すように、蓋体２の枠体２１の裏面には係合凸部２２が形成されている。この係合凸部２２は、蓋体２の全周にわたって形成されており、平面視で正方形状である。図８は、蓋体２を裏返した状態であるが、つかみ部材３は装着していない状態を示す。図９は、蓋体２を裏返してつかみ部材３で挟持した状態の中央断面図（図２ＡのＡ−Ａ断面に対応）である。
【００３２】
つかみ部材３は、２つ設けられており、図１Ａ等にも示すように、対角線上に配置される。つかみ部材３の機能は、蓋体２が蓋本体１から脱落しないように挟持しておくものである。また、別の機能は、調理鍋を運ぶ時に持ち手としても機能することである。つかみ部材３は、鍋本体１からの熱が伝わりにくいように、シリコン製で形成されるが、同じ機能を発揮するのであれば、他の素材を用いてもよい。
【００３３】
図１０〜図１２は、つかみ部材３の形状を示す図である。つかみ部材３は、下面部３０と、上面部３１と、連結部３２が一体形成されている。連結部３２は、下面部３０と上面部３１とを連結している。つかみ部材３は、図２等に示すように、平面視で１／４円の形状を呈している。下面部３０と上面部３１の間に形成される空間に、鍋本体１と蓋体２を挿入して挟持するようにしている。
【００３４】
上面部３１の裏側には円弧状に形成された係合溝３３が形成されている。この係合溝３３は、蓋体２の裏面側に形成された係合凸部２２に係合する。係合溝３３に係合する部分の係合凸部２２も円弧状に形成される。図７に示すように、蓋体２を裏返した状態でつかみ部材１３を使用するときは、係合溝３３（係合部に相当）の中に係合凸部２２（被結合部に相当）が係合するので、しっかりとつかみ部材１３により挟持させることができる。なお、係合溝と係合凸部の関係は入れ替えてもよい。
【００３５】
また、鍋本体１のフランジ１３が、つかみ部材３の下面部３０と上面部３１の間に形成される空間に入り込んだ形で鍋本体１と蓋体２を挟持する。以上のような係合機構を採用することで、つかみ部材３は容易に脱落することはないので、調理鍋を使用しないときは、安定した形で調理鍋を収容あるいは保管することができる。また、調理鍋を立てた状態であっても蓋体２が外れて倒れてしまうこともない。つかみ部材３はシリコン製であるので、容易に弾性変形することができる。従って、調理鍋を使用したいときは、つかみ部材３を手で変形させて、係合溝３３と係合凸部２２の係合状態を解除することができる。
【００３６】
また、前述のように、つかみ部材１３は調理鍋を運ぶ時にも使用可能である。この場合は、２つのつかみ部材３を手で持って移動させればよく、鍋本体１が加熱されていても、手に温度が伝わりにくい。蓋体２を第１状態にしてつかみ部材３を取り付けたときは、つかみ部材３の係合溝３３には何も係合するものがない。従って、つかみ部材３の着脱は容易に行うことができる。また、図１１に示すように、下面部の内側には高さの小さな突出部３５が複数（３カ所）設けられており、すべり止めとして機能する。これにより、つかみ部材３が容易に外れないように押さえつけることができる。
【００３７】
図１２に示すように、つかみ部材３の下面部３０の下に張り出し部３４が設けられている。図７に示すように、この張り出し部３４は、鍋本体１の側面１０をカバーする位置にある。これにより、つかみ部材３を手で持った時に、指先が鍋本体１の表面に触れないようにしている。
【００３８】
図５及び図８に示すように、蓋体２の裏面には第１逃げ部２３と第２逃げ部２４が形成されている。第１逃げ部２３は、幅の小さな溝が３カ所形成され、第２逃げ部２４は、幅広の溝が１か所形成される。これらの逃げ部２３，２４は、水切り（湯切り）用に設けられており、蓋体２をしたままつかみ部材３を手で持ち、調理鍋を傾斜させることで、逃げ部２３，２４から鍋本体１の水を外部に出すことができる。
【００３９】
第１逃げ部２３の方は、パスタのように細かな具材の場合に使用し、第２逃げ部２４の方は、野菜のように大きめの具材の場合に使用する。このように、内容物の大きさに応じて使い分けができるので利便性が高まる。また、水切りを行いやすくするために鍋本体１のフランジ１３には逃がし部１３ａが形成されて、水を排出するための隙間１５が形成されるようにしている（図２Ａ参照）。
【００４０】
第１・第２逃げ部２３，２４は、つかみ部材３が取り付けられない対角線上に配置される。また、第１逃げ部２３の位置に対応して、枠体２１の表面に第１マーク２５が形成され、第２逃げ部２４に対応して第２マーク２６が形成されている。これらのマーク２５，２６は、逃げ部２３，２４の形状を模した指標になっており、どちらを使用したらよいかすぐに分かるようになっている。なお、逃げ部の大きさや形状等は、適宜決めることができる。
【００４１】
図５に示すように、鍋本体１のフランジ１３には、段差部１３ｂが２カ所形成されており、その近傍の角部につかみ部材３が取り付けられる。
【００４２】
図１３に示すように、蓋体２は、取っ手４に設けられた延出部４１を下にして載置面の上に安定した状態で置くことができる。調理が終わり蓋体２が必要ないときは、適宜の場所に安定した状態で蓋体２を置くことができる。
＜別実施形態＞
鍋本体１の形状は、平面視で正方形状であるが、これに限定されるものではなく、他の形状を採用してもよい。例えば、長方形や菱形などの他の四辺形を採用してもよい。また、四辺形ではなく、円形や楕円形を採用してもよい。
【００４３】
本実施形態に係るつかみ部材３は、張り出し部３４が下面側にのみ設けられているが、上面側に追加して設けてもよい。これにより、指先が蓋体２の表面に触れないようにすることができ、さらに、安全性が向上する。
【符号の説明】
【００４４】
１        鍋本体
１０      底面
１１      側面
１２      リブ
１３      フランジ
１３ａ    逃げ部
１３ｂ    段差部
１４      蓋体載置部
１５      隙間
２        蓋体
２０      蓋本体
２１      枠体
２０ａ    表面
２０ｂ    裏面
２２      係合凸部（被結合部）
２３      第１逃げ部
２４      第２逃げ部
２５      第１マーク
２６      第２マーク
３        つかみ部材
３０      下面部
３１      上面部
３２      連結部
３３      係合溝（係合部）
３４      張り出し部
３５      突出部
４        取っ手
Ｘ        載置面
【図１Ａ】
0003234286.tif 000003
【図１Ｂ】
0003234286.tif 000004
【図２Ａ】
0003234286.tif 000005
【図２Ｂ】
0003234286.tif 000006
【図３】
0003234286.tif 000007
【図４】
0003234286.tif 000008
【図５】
0003234286.tif 000009
【図６】
0003234286.tif 000010
【図７】
0003234286.tif 000011
【図８】
0003234286.tif 000012
【図９】
0003234286.tif 000013
【図１０】
0003234286.tif 000014
【図１１】
0003234286.tif 000015
【図１２】
0003234286.tif 000016
【図１３】
0003234286.tif 000017